(57)【要約】【課題】切れ目から髪の毛が内部に入るのを防ぐことができる理美容用クロスを提供する。【解決手段】理美容用クロス１０は、背中方向で重なり合う略半円状の本体部１１と、本体部１１の上部中央部に設けられ、首に巻かれる襟部１２と、本体部１１に縫製される左腕挿通部１３と右腕挿通部１４と、を備え、本体部１１は、略半円状の両端部の一方を、左腕挿通部１３及び右腕挿通部１４の一方の下の位置で留める留め部２１ａ、２１ｂ、２２ａ、２２ｂを有する。留め部２１ａ、２１ｂ、２２ａ、２２ｂは、被施術者が着用時に被施術者の脇の下に位置する。【選択図】図２
0003220219.tif 000002
【実用新案登録請求の範囲】
【請求項１】
背中方向で重なり合う略半円状の本体部と、
前記本体部の上部中央部に設けられ、首に巻かれる襟部と、
前記本体部に縫製される第１腕挿通部と第２腕挿通部と、を備え、
前記本体部は、
前記略半円状の両端部の一方を、前記第１腕挿通部及び第２腕挿通部の一方の下の位置で留める留め部を有する、ことを特徴とする理美容用クロス。
【請求項２】
本体部は、略扇状の正面部と、正面部の一辺に縫製した左背面部と、正面部の他辺に縫製した右背面部とを有し、
前記第１腕挿通部は、前記正面部と前記左背面部の間に縫製され、
前記第２腕挿通部は、前記正面部と前記右背面部の間に縫製され、
前記留め部は、
前記右背面部の端部に設けられる第１留め部と、
前記第１腕挿通部の下の位置に設けられる第２留め部と、を有する、請求項１に記載の理美容用クロス。
【請求項３】
前記留め部は、上下二か所に設けられる、請求項１又は請求項２に記載の理美容用クロス。
【請求項４】
前記留め部は、被施術者が着用時に被施術者の脇の下に位置する、請求項１から請求項３のいずれか１項に記載の理美容用クロス。
【請求項５】
前記襟部は、材質がクロロプレンゴム製である、請求項１から請求項４のいずれか１項に記載の理美容用クロス。
【考案の詳細な説明】
【技術分野】
【０００１】
本考案は、カットクロスやシャンプークロス、パーマクロス、カラークロスなど、理容・美容の分野において、着用者の上半身を覆うように着用される理美容用クロスに関するものである。
【背景技術】
【０００２】
従来、理美容用クロスは、スタイリングチェアを包むように被施術者の背中側にて留め部で留めるものが提案されている。
特許文献１の理美容用クロスは、肩から背中までを覆う大きさを有するカバー部と、首周囲に巻装される襟部とを有し、被施術者の背中側に留め具を設けて留めるようにしている（特許文献１、図２参照）。
【先行技術文献】
【特許文献】
【０００３】
【特許文献１】特開平８−２４２９４２号公報
【考案の概要】
【考案が解決しようとする課題】
【０００４】
図１は従来の一般的な理美容用クロスを被施術者が着用した状態を背中側から示した図である。
図１に示すように、理美容用クロス１の留め部１ｂの位置が背中に位置すると、切れ目１ａから髪の毛が理美容用クロス１内に入ってしまうという問題があった。
【０００５】
そして、本考案は上記問題点に鑑みなされたものであり、切れ目から髪の毛が内部に入るのを防ぐことができる理美容用クロスを提供することを目的としている。
【課題を解決するための手段】
【０００６】
上記目的を達成するために提案されたものであり、（１）本考案の理美容用クロスは、背中方向で重なり合う略半円状の本体部と、前記本体部の上部中央部に設けられ、首に巻かれる襟部と、前記本体部に縫製される第１腕挿通部と第２腕挿通部と、を備え、前記本体部は、前記略半円状の両端部の一方を、前記第１腕挿通部及び第２腕挿通部の一方の下の位置で留める留め部を有する、ことを特徴とする。
【０００７】
（２）（１）の構成において、本体部は、略扇状の正面部と、正面部の一辺に縫製した左背面部と、正面部の他辺に縫製した右背面部とを有し、前記第１腕挿通部は、前記正面部と前記左背面部の間に縫製され、前記第２腕挿通部は、前記正面部と前記右背面部の間に縫製され、前記留め部は、前記右背面部の端部に設けられる第１留め部と、前記第１腕挿通部の下の位置に設けられる第２留め部と、を有する。
【０００８】
（３）（１）又は（２）の構成において、前記留め部は、上下二か所に設けられる。
（４）（１）から（３）のいずれか１項において、前記留め部は、被施術者が着用時に被施術者の脇の下に位置する。
（５）（１）から（４）のいずれか１項において、前記襟部は、材質がクロロプレンゴム製である。
【考案の効果】
【０００９】
本考案によれば、切れ目から髪の毛が内部に入るのを防ぐことができる理美容用クロスを提供することができる。
【図面の簡単な説明】
【００１０】
【図１】従来の一般的な理美容用クロスを被施術者が着用した状態を背中側から示した図である。
【図２】本考案の実施形態に係る理美容用クロスの展開図である。
【図３】本考案の実施形態に係る理美容用クロスの襟部の拡大図である。
【図４】本考案の実施形態に係る理美容用クロスの留め部を留めた状態の正面図であって、留め部の位置が分かるように示している。
【図５】本考案の実施形態に係る理美容用クロスの留め部を留めた状態の背面図であって、留め部の位置が分かるように示している。
【図６】本考案の実施形態に係る理美容用クロスを被施術者が着用した状態を後ろから示した図である。
【考案を実施するための形態】
【００１１】
以下、本考案を実施するための形態(以下、「実施形態」という)を、添付図面に基づいて詳細に説明する。
【００１２】
図２は、本考案の実施形態に係る理美容用クロスの展開図である。
理美容用クロス１０は、背中方向で重なり合う略半円状の本体部１１と、本体部１１の上部中央部に設けられ、首に巻かれる襟部１２と、本体部１１に縫製される第１腕挿通部としての左腕挿通部１３と、第２腕挿通部としての右腕挿通部１４と、を備え、本体部１１は、略半円状の両端部の一方を、左腕挿通部１３及び右腕挿通部１４の一方の下の位置で留める留め部２１ａ、２１ｂ、２２ａ、２２ｂを有する。
【００１３】
理美容用クロス１０は、布、紙、ポリオレフィン系樹脂やナイロン樹脂等の合成樹脂等で形成されており、好ましくはシワ加工が施されている。
【００１４】
本体部１１は、略扇状の正面部１１ａと、正面部１１ａの一辺に縫製した左背面部１１ｂと、正面部１１ａの他辺に縫製した右背面部１１ｃとから構成されている。
符号１１ｄは正面部１１ａと左背面部１１ｂの縫合部である左合せ面を示しており、符号１１ｅは正面部１１ａと右背面部１１ｃの縫合部である右合せ面を示している。
本体部１１は、前が例えば１２０ｃｍ、後ろが８１ｃｍ程度のサイズで作ることができる。
【００１５】
正面部１１ａと左背面部１１ｂの間には左腕を通す袖口１３ａが開放した筒状の左腕挿通部（第１腕挿通部）１３が縫製されている。左腕挿通部１３と正面部１１ａ及び左背面部１１ｂの縫合部分は腕を通すための開口部１３ｂを形成するように縫合されている。
また、正面部１１ａと右背面部１１ｃの間には右腕を通す袖口１４ａが開放した筒状の右腕挿通部（第２腕挿通部）１４が縫製されている。右腕挿通部１４と正面部１１ａ及び右背面部１１ｃの縫合部分は腕を通すための開口部１４ｂを形成するように縫合されている。
本体部１１の背面側から開口部１３ｂ、１４ｂに両腕を通し、各袖口１３ａ、１４ａから両手を出すことができるように形成されている。
【００１６】
左右腕挿通部１３、１４は、例えば５８ｃｍ〜７８ｃｍの長さを有する。
留め部は、右背面部１１ｃの端部に設けられる留め部（第１留め部）２１ａ、２１ｂと、左腕挿通部１３の下の位置に設けられる留め部２２ａ、２２ｂと、を有する。
右背面部１１ｃの端部には、二つの留め部２１ａ、２１ｂが取り付けられており、左腕挿通部１３の下の部分には、二つの留め部２２ａ、２２ｂが取り付けられている。
留め部２１ａ、２１ｂ、２２ａ、２２ｂは、被施術者が着用時に被施術者の脇の下に位置するようにできる。
ここでは、留め部２１ａ、２１ｂ、２２ａ、２２ｂとして、マジックテープ（登録商標）を用いている。また、マジックテープに代えてボタン等を用いることもできる。
【００１７】
右背面部１１ｃの端部に設けられた留め部２１ａ、２１ｂを左腕挿通部１３の下の部分に設けられた留め部２２ａ、２２ｂに装着して、被施術者の脇の下で留め部２１ａ、２１ｂ、２２ａ、２２ｂで止めるようにしている。従来は背中の部分で留めていたが、脇の下で留めることにより、背中側に切れ目部分がないため、理美容用クロス１０内に髪の毛を入らないようにすることができる。
【００１８】
図３は、本考案の実施形態に係る理美容用クロスの襟部の拡大図である。
図３に示すように、襟部１２は、略Ｕ字形を有し、肌触りがよいウェットスーツと同じで、材質が内部に気泡を含むクロロプレンゴム製の生地からできており、首にフィットして、内部に髪の毛が入るのを防ぐことができる。
襟部１２は、サイズ調整可能するための留め部１２ｂが襟部の延設部１２ａに設けられており、この延設部１２ａの留め部１２ｂの装着位置を調整することにより、自分に合ったサイズに調整することができる。ここでも留め部１２ｂは例えばマジックテープを用いることができる。この襟部の首回りは、２８φ〜５８φで調整することができる。
【００１９】
図４は、本考案の実施形態に係る理美容用クロスの留め部を留めた状態の正面図であって、留め部の位置が分かるように示している。
図４に示すように、留め部２１ａ、２１ｂ、２２ａ、２２ｂの位置を左腕挿通部１３の下に位置するようにしている。
理美容用クロス１０の切れ目が、脇の下の位置にくるようにすることができるため、左腕挿通部１３によって理美容用クロス１０の切れ目を遮ることができる。このため、理美容用クロス１０の切れ目からカットした髪の毛が入ることを防ぐことができる。
襟部１２の延設部１２ａの装着位置を調整することで自分に合ったサイズに調整ができる。また、クロロプレンゴム製の生地からできており、首にフィットして、内部に髪の毛が入るのを防ぐことができる。
【００２０】
図５は、本考案の実施形態に係る理美容用クロスの留め部を留めた状態の背面図であって、留め部の位置が分かるように示している。
図６は、本考案の実施形態に係る理美容用クロスを被施術者が着用した状態を後ろから示した図である。
図５に示すように、留め部２１ａ、２１ｂ、２２ａ、２２ｂの位置を左腕挿通部１３の下に位置するようにしている。
また、図５及び図６に示すように、理美容用クロス１０の切れ目１０ａは、被施術者３０の左脇の下に隠れて見えないため、左手により理美容用クロス１０の切れ目１０ａの一部が隠れている。
理美容用クロス１０の切れ目１０ａの一部が、被施術者３０の脇の下の位置にくるため、左腕挿通部１３によって理美容用クロス１０の切れ目１０ａの一部を遮ることができる。このため、理美容用クロス１０の切れ目１０ａからカットした髪の毛が入ることを防ぐことができる。
【００２１】
以上、本実施形態によれば、理美容用クロス１０の切れ目１０ａを被施術者の脇の下の位置にくるようにしたので、理美容用クロス１０の切れ目１０ａから髪の毛が内部に入るのを防ぐことができる。
また、襟部１２は、肌触りがよいウェットスーツと同じクロロプレンゴム製の生地からできているため、首にフィットして、内部に髪の毛が入るのを防ぐことができる。
【００２２】
なお、本考案は、上記実施形態に限定されるものではなく、本考案の目的を達成できる範囲での変形、改良等は本考案に含まれるものである。
【符号の説明】
【００２３】
１０    理美容用クロス
１１    本体部
１１ａ  正面部
１１ｂ  左背面部
１１ｃ  右背面部
１２    襟部
１３    左腕挿通部
１４    右腕挿通部
２１ａ、２１ｂ  第１留め部
２２ａ、２２ｂ  第２留め部
【図１】
0003220219.tif 000003
【図２】
0003220219.tif 000004
【図３】
0003220219.tif 000005
【図４】
0003220219.tif 000006
【図５】
0003220219.tif 000007
【図６】
0003220219.tif 000008